【事件の表示】
　特願２０１５−５０９７９０「処理装置及びプログラム」拒絶査定不服審判事件〔平成２６年１０月　９日国際公開，ＷＯ２０１４／１６２５３９〕について，次のとおり審決する。
【結　論】
　本件審判の請求は，成り立たない。
【理　由】
第１．手続の経緯
　本願は，２０１３年４月３日を国際出願日とする出願であって，
　平成２７年１０月２日付けで国内書面が提出され，平成２７年１１月２日付けで新規性喪失の例外適用申請書が提出され，平成２７年１１月１６日付けで審査請求がなされると共に手続補正がなされ，平成２８年１２月２８日付けで審査官により拒絶理由が通知され，これに対して平成２９年５月１１日付けで意見書が提出されると共に手続補正がなされたが，平成２９年１０月３０日付けで審査官により拒絶査定がなされ，これに対して平成３０年２月７日付けで審判請求がなされると共に手続補正がなされ，平成３０年５月１８日付けで審査官により特許法１６４条３項の規定に基づく報告がなされ，平成３０年６月１日付け，及び，平成３０年１１月１４日付けで上申書の提出がされ，その後，当審において，特許法１５０条５項の規定に基づき，請求人に対して，令和元年８月２１日付け証拠調べ通知書によって通知し，令和元年９月１２日付けで，意見書が提出されたものである。
　
第２．原審拒絶査定の拒絶の理由
　原審における平成２９年１０月３０日付けの拒絶査定（以下，これを「原審拒絶査定」という）における拒絶の理由は概略以下のとおりである。
　１．（新規性）この出願の下記の請求項に係る発明は，その出願前に日本国内又は外国において，頒布された下記の刊行物１に記載された発明又は電気通信回線を通じて公衆に利用可能となった発明であるから，特許法２９条１項３号に該当し，特許を受けることができない。
　２．（進歩性）この出願の下記の請求項に係る発明は，その出願前に日本国内又は外国において，頒布された下記の刊行物１に記載された発明又は電気通信回線を通じて公衆に利用可能となった発明に基づいて，その出願前にその発明の属する技術の分野における通常の知識を有する者が容易に発明をすることができたものであるから，特許法２９条２項の規定により特許を受けることができない。
　
　　　　　　　　　　　　　　　　記
　
・請求項１ないし６
・引用文献等　１，２
１．高橋慧，岩村恵市，クラウドコンピューティングに適した秘密分散法，電子情報通信学会技術研究報告，第１１２巻 第２２６号，２０１２年９月２７日，p.１１-１６
２．電子情報通信学会，原稿の提出について，[online]，[２０１６年１２月２８日閲覧]，インターネットURL:https://www.ieice.org/jpn/kenkyuukai/geikou.html
・引用文献１は、その発行日である２０１２年９月２７日に頒布され、その引用文献１に記載された発明は、同日に公知となったものと認められ、本願の出願日は、２０１３年４月３日であるから、本願発明について、引用文献１に記載された発明に対し、特許法第３０条第２項の規定を適用することはできない。
　
第３．新規性喪失の例外の適否における請求人の主張について
　請求人は，平成３０年２月７日付け審判請求書等において，引用文献１の発表日は平成２４年１０月４日であるところ，本願は当該発表日から６月以内に出願されているため，旧特許法３０条２項（平成３０年法律第３３号改正前のもの，以下，これを「旧３０条２項」という）の適用がある旨主張しており，その内容は，概略以下のとおりである。
１　平成２９年５月１１日付け意見書記載の主張
（１）研究会の資料の信学技報は各研究会開催地に事前に発送する運用になっていたものの，紙媒体の引用文献１は全てガムテープで封印された段ボール箱に入った状態で当該研究会の当日まで保管されていた。したがって，紙媒体の引用文献１は，発行日以降，当該研究会の当日，すなわち，平成２４年１０月４日まで，「頒布」（特許法２９条１項３号）されていない。
（２）発表者への平成２４年１０月４日以前の配布はされていない。
（３）定期購読者に対しても平成２４年１０月４日以前の配布はされていない。
（４）他学会で平成２４年１０月４日以前の配布はされていない。
（５）Ｗｅｂ等電子媒体での発行は当時されていない。技報オンラインサービスが開始されたのは，平成２５年（２０１３年）４月からである。
（６）引用文献２には，研究会資料（技術研究報告書）とその発行日について，発行日が公知日となる旨の記載がある。同様に，電子情報通信学会の特許証明に関する説明にも，「公知日（本会では，発行日※が公知日となります）」，「※発行日：本会論文誌においては，オンライン版が公開された日を公知日としています。」との記載がある。
　ここで「オンライン版」とは，技報オンラインサービスであるところ，技報オンラインサービスが開始された平成２５年（２０１３年）４月以降においては，技報の発行日（開催日の１週間前）が常に公知日とされたものである。
　したがって，引用文献２等において，発行日が公知日となる旨の記載は，平成２５年４月以前，すなわち，平成２４年９月２７日の時点では当てはまらない。
（７）よって，引用文献１の奥付には，２０１２年９月２７日発行と記載されているものの，当該奥付記載の発行日には頒布されていない。引用文献１が頒布されたのは平成２４年１０月４日になってからである。
　
２　平成３０年３月２６日手続補正書記載の主張
　平成２７年１１月１６日付け上申書記載の主張に加えて，引用文献１の配布は，研究会当日の配布，発表者への事前配布，定期購読者への事前配布，他学会での配布，Ｗｅｂ等電子媒体での発行以外に，存在していない。
　したがって，引用文献１は，研究会当日（平成２４年１０月４日）まで頒布されていない。
　
３　平成３０年１１月１４日付け上申書記載の主張
（１）引用文献１は，以下のとおり取り扱われていたものである。
　ア　平成２４年１０月４日開催の研究会の会場である幕張メッセを届け先とし，宛名を同研究会の世話人である西村明氏として発送
　イ　平成２４年９月２７日電子情報通信学会事務局（機械振興会館）に直接納品
　ウ　会場発送日以降(通常研究会開催月の月末)，引用文献１の年間購読者向けの学会発送委託業者である株式会社ASCに直接納品
　上記アのルートで発送された引用文献１については，平成２４年１０月４日に，西村明氏によって研究会会場で配布された。
　上記イのルートで納品された引用文献１は４冊で，全て電子情報通信学会事務局内に保管された。内１冊は閲覧用として管理されたが，平成２４年９月２７日から平成２４年１０月４日までの間に，引用文献１を閲覧する人物はいなかった。
　上記ウのルートで納品された引用文献１については，平成２４年１１月中旬に，年間購読者宛てに発送された。
　また，電子情報通信学会技術研究報告のオンライン公開サービスが開始されたのは，平成２５年４月である。
　
（２）引用文献１の取り扱いと，特許法２９条１項３号の該当性との関係
　ア　上記（１）イのルート
　証明願中の引用文献１の奥付には，２０１２年９月２７日発行と記載され，上記イのルートで納品された引用文献１の４冊の内，１冊は閲覧用として管理された。
　具体的には，引用文献１は，２０１２年９月２７日に，電子情報通信学会（機械振興会館１階）の閲覧室に配架され，信学技報が閲覧可能な状況になった。電子情報通信学会における閲覧手続については，電子情報通信学芸誌の会告において公開されている。
　しかし，電子情報通信学芸誌の購読者は多数ではないため，電子情報通信学会における閲覧手続を知る者は多数ではない。事実，平成２４年９月２７日から平成２４年１０月４日までの間に，引用文献１を閲覧する人物はいなかった。
　このような状況から引用文献１は，平成２４年９月２７日から平成２４年１０月３日までの間，多数の者が閲覧し得る状態ではなかった。
　特許法２９条１項３号の「頒布された刊行物」に該当するためには，文書が，少なくとも多数の者が見得るような状態におかれなければならないと解すべきところ，上記の具体的事実に鑑みれば，引用文献１は，平成２４年９月２７日から平成２４年１０月３日までの間，多数の者が閲覧し得る状態ではなかったので，多数の者が見得るような状態におかれていなかった。
　よって，引用文献１の奥付に平成２４年９月２７日発行と記載されているものの平成２４年９月２７日から平成２４年１０月３日の間，引用文献１は，特許法２９条１項３号の「頒布された刊行物」には該当していなかった。
　
　イ　上記（１）アのルート
　上記アのルートで発送された引用文献１は，西村明氏を宛名として発送されたものであって，平成２４年１０月４日に，西村明氏が研究会会場で受け取るように管理されていたものである。つまり，平成２４年１０月４日に西村明氏によって配布されるまで，不特定の者に開示されないように管理されていた。
　よって，平成２４年９月２７日から平成２４年１０月３日の間，引用文献１は，特許法２９条１項３号の「頒布された刊行物」には該当していない。
　
（３）以上より，引用文献１は，平成２４年１０月４日になって初めて，特許法２９条１項３号の「頒布された刊行物」に該当するに至ったものである。
　そして，本願は，平成２４年１０月４日から６月以内に出願されている。
　以上より，本願発明について，引用文献１に記載された発明に対し，特許法３０条２項の規定を適用することができる。
　
第４．当審における証拠調べ通知の要旨
　当審において，本願が，旧３０条２項に該当するか否かについて，職権に基づく証拠調べをした結果，下記に示すとおりの証拠を発見したので特許法１５０条５項の規定に基づき，請求人に対して，令和元年８月２１日付け証拠調べ通知書によってより請求人に通知し，期間を指定してこれに対する意見を求めた。
　
　　　　　　　　　　　　　　　　記
　
１　一般社団法人電子情報通信学会のウェブサイト
　
「
」
　
２　令和元年７月１２日付け審判長仲間晃から電子情報通信学会宛のメール文書
　
「
」
　
３　令和元年７月１２日付け電子情報通信学会から審判長仲間晃宛のメール文書
　
「
」
　
第５．職権証拠調べ通知に対する請求人の意見の要旨
 前記第４．の証拠調べ通知に対して，請求人は，令和元年９月１２日付け意見書において，引用文献１が「頒布された刊行物」（特許法２９条１項３号）に該当するためには，「不特定多数の者が見得るような状態におかれる」ことが必要であると主張したうえで，大要，以下のとおり主張している。
　１　引用文献１を閲覧・複写の手続きをできる人は，第１に，電子情報通信学芸誌を購入した会員である「特定の者」である。第２に，非会員であっても引用文献１を閲覧・複写の手続きをできる人は，会員である特定の者から電子情報通信学芸誌を譲り受けた者または閲覧等した者であり，「特定の者」である。
　２　引用文献１を閲覧・複写の手続きをできる人は，第１に，電子情報通信学芸誌を購入した会員，第２に，非会員の内，会員である特定の者から電子情報通信学芸誌を譲り受けた者または閲覧等した者であり，多数ではない。実際，平成２４年９月２７日から同年１０月４日までの間に，引用文献１を閲覧した人はいなかったため，「多数の者」が見得るような状態におかれていないから，引用文献１は「頒布された刊行物」には該当しない。
　
第６．新規性喪失の例外の適否についての当審の判断
　旧３０条２項は，特許を受ける権利を有する者の行為に起因して特許法２９条１項各号のいずれかに該当するに至った発明について，その該当するに至った日から６月以内にその者が特許出願することを要件としているところ，請求人は以下のとおり，特許法２９条１項３号に該当するに至ってから６月以内に本願を出願したと認められない。
　１　「頒布された刊行物」の意義
　特許法２９条１項３号の「頒布された刊行物」とは「公衆に対し，頒布により公開することを目的として複製された文書・図画等の情報伝達媒体であって，頒布されたものを指すところ，ここに公衆に対し頒布により公開することを目的として複製されたものであるということができるものは，必ずしも公衆の閲覧を期待してあらかじめ公衆の要求を満たすことができるとみられる相当程度の部数が原本から複製されて広く公衆に提供されているようなものに限られるとしなければならないものではなく，右原本自体が公開されて公衆の自由な閲覧に供され，かつ，その複写物が公衆からの要求に即応して遅滞なく交付される態勢が整つているならば，公衆からの要求をまつてその都度原本から複写して交付されるものであつても差し支えないと解するのが相当である」（最判昭和５５年７月４日民集３４巻４号５７０頁）。
　２　これを本件についてみると，以下の事実が認められる。
（１）　引用文献１は，「信学技報」と題して定期的に刊行される論文誌であり，定期購読者へ配布するとともに電子情報通信学会の専門委員会の一つであるマルチメディア情報ハイディング・エンリッチメント研究専門委員会が主催した研究会（以下，これを「ＥＭＭ研究会」という）において配布されている冊子である（西村明の陳述書（請求人意見書添付の証拠１））。
（２）　引用文献１の奥付には，発行日が平成２４年９月２７日（２０１２年９月２７日）との記載がある。
（３）　平成３０年１１月１５日付け手続補足書添付の平成３０年１０月３０日付け証明願によれば，引用文献１は，印刷所からの発送・納品ルートとして「（２）平成２４年（２０１２年）９月２７日電子情報通信学会事務局（機械振興会館）に直接納品」というルートが存在したとともに，上記「（２）・・・納品」のルートで納品された引用文献１は，平成２４年９月２７日の時点で，４冊全て事務局内に保管され，内１冊は閲覧用として管理されていたことが認められ，この事実は同日付け上申書において請求人自身も自認しているところである。
（４）　上記引用の「一般社団法人電子情報通信学会のウェブサイト」によると，同学会において，「電子情報通信学会技術研究報告」という報告集が発刊されているところ，同報告集の冊子は，非会員でも３００円で閲覧可能で，さらに１枚１０円で複写も可能である。
（５）　（４）の事実と同じように，引用文献１は，平成２４年９月２７日の時点でも，電子情報通信学会の非会員であっても閲覧及び複写が可能であった（令和元年７月１２日付審判長仲間晃から電子情報通信学会宛のメール文書及び令和元年７月１２日付電子情報通信学会から審判長仲間晃宛のメール文書）。
　３　以上２の事実を総合すると，定期的に刊行される論文誌である引用文献１は，発行日である平成２４年９月２７日の時点で，電子情報通信学会事務局に対して要求があれば，誰でも閲覧及び複写が可能であったと言える。
　つまり，引用文献１は，定期的に刊行される論文誌であることから「公衆に対し，頒布により公開することを目的として複製された文書・図画等の情報伝達媒体」であるうえに，平成２４年９月２７日の時点において誰でも閲覧及び複写が可能であったのであるから「公開されて公衆の自由な閲覧に供され，かつ，その複写物が公衆からの要求に即応して遅滞なく交付される態勢が整つてい」たこと，すなわち「頒布された刊行物」（特許法２９条１項３号）に該当するに至っていたと認められる。
　よって，引用文献１は，本願の国際出願日（２０１３年４月３日）の６月より前の平成２４年９月２７日に，「頒布された刊行物」に該当するに至ったものということができる。
　したがって，旧３０条２項は，特許を受ける権利を有する者の行為に起因して特許法２９条１項各号のいずれかに該当するに至った発明について，その該当するに至った日から６月以内にその者が特許出願することを要件としているところ，本願は特許法２９条１項３号に該当するに至ってから６月以内に本願を出願したと認められないため，旧３０条２項に規定する新規性喪失の例外適用は認められない。
　
　４　審判請求人の主張について
（１）　請求人は，引用文献１が頒布されるに至った日時は平成２４年１０月４日である旨を縷々主張しているところ，その主張は概略以下のとおりである。
　ア　引用文献１の配布は，研究会当日の配布，発表者への事前配布，定期購読者への事前配布，他学会での配布，Ｗｅｂ等電子媒体での発行以外に存在していないところ，引用文献１は平成２４年１０月４日に至って初めて配布された（平成２９年５月１１日付け意見書及び平成３０年３月２６日付け手続補正書）。
　イ　特許法２９条１項３号の「頒布された刊行物」に該当するためには，文書が，少なくとも多数の者が見得るような状態におかれなければならないと解すべきところ，引用文献１を電子情報通信学会事務局で閲覧・複写の手続きをできた人は特定の者であって，かつ，「多数」ではないから，平成２４年９月２７日から平成２４年１０月３日までの間において引用文献１は「頒布された刊行物」に該当していない（平成３０年１１月１４日付け上申書）。
（２）　請求人の主張についての当審の判断
　引用文献１が頒布されるに至った日時については，「第６．新規性喪失の例外の適否について」の１〜３において検討したとおりである。
　
　よって，請求人の主張はいずれも採用できない。
　
　５　小括
　そうすると，引用文献１は，平成２４年９月２７日には特許法２９条１項３号の『頒布された刊行物』に該当するに至っていたのであるから，その該当する日から６月以内，すなわち，平成２５年３月２７日が満了するまで（特許法３条１項１号，２号）に本願が出願されなければ旧３０条２項が適用されないところ，本願の出願日は，平成２５年４月３日であるから，旧３０条２項は適用されない。
　
第７．本願発明について
　本願の請求項１に係る発明（以下，これを「本願発明」という）は，平成２９年５月１１日付けの手続補正により補正された特許請求の範囲の請求項１に記載された，次のとおりのものである。
　
「秘密情報をｎ個に分散し，そのうちｋ個の分散値を集めれば秘密情報を復元でき，ｋ−１個以下では秘密情報を復元できないシステムにおいて，
　秘密情報を特定する情報を記憶する記憶手段と，
　分散値を得るために設定手段により設定された鍵情報を用いて，前記記憶手段に記憶された前記秘密情報を特定する情報を暗号化する暗号化手段と，
　を備えることを特徴とした処理装置。」
　
第８．引用文献に記載の事項
　原審における平成２８年１２月２８日付けの拒絶理由（以下，これを「原審拒絶理由」という）において，引用文献１として引用された文献であって，上記「第３．新規性喪失の例外適用申請の適否について」に検討したとおり，本願の国際出願日前に公知となった文献である，「１．高橋慧，岩村恵市，「クラウドコンピューティングに適した秘密分散法」，電子情報通信学会技術研究報告，第112巻 第226号，2012年9月27日，p.11-16」（以下，これを「引用文献」という）には，関連する図面と共に，次の事項が記載されている。
　
Ａ．「秘密分散法とはｎ個に分散したデータ内，ｋ個（ｋ≦ｎ）のデータを集めることで元の秘密情報が復元できるという技術であり，ｋ個未満のデータから一切秘密情報に関する情報は得られないという技術である．」（１１頁左欄１３行〜１７行）
　
Ｂ．「３．提案方式
　ここではクラウドコンピューティングへの適用に適した秘密分散法である提案方式についての説明を行う．提案方式は図１の様に構成されるクラウドシステムに適した秘密分散法である．
　３．１　提案方式の構成
　まず，それぞれの秘密情報ｓｉ（ｉ＝１・・・ｍ）について以下の分散式を生成する．
Ｗｉｊ＝ｓｉ＋ａｉ１ｘｊ＋ａｉ２ｘ２ｊ＋・・・＋ａｉｋ−１ｘｋ−１ｊ （１）
ここで，ｘｊは各サーバに割り当てられるＩＤであり，ＷｊｉはサーバＩＤｘｊを利用して生成した秘密情報ｓｉの分散情報である．また，それぞれの秘密情報に割り振られているデータＩＤｄＩＤ［ｓ（ｉ）］は秘密情報のデータサイズよりも小さいものとする．
　本提案方式はユーザが鍵情報のみを持つ鍵サーバに自身のユーザＩＤＩＤ［ｙ］（ｙ＝１，・・・，ｒ）を送信し，それを受け取った鍵サーバが自身の持つｋｅｙｊと受け取ったユーザＩＤを用いてＥｉｄ（ｙ，ｊ）＝Ｅｎｃ（ＩＤ［ｙ］，ｋｅｙｊ）（ｊ＝１・・・ｌ）を生成してユーザに送信する．ここでＥｎｃ（ａ，ｂ）はａをｂという鍵を用いて暗号化する処理を表すとする．ユーザがこれを用いて自身のデータＩＤｄＩＤ［ｓ（ｉ）］を暗号化し暗号化結果
ｑｉｊ  ＝  Ｅｎｃ（ｄＩＤ［ｓ（ｉ）］，Ｅｉｄ（ｙ，ｊ））
をｍ個の秘密情報全てについて生成したのち，これらが鍵サーバの分散情報に対応するようにＷ１ｊ＝ｑ１ｊ，Ｗ２ｊ＝ｑ２ｊ，・・・，Ｗｍｊ＝ｑｍｊとしてそれぞれの秘密情報ｓｉ（ｉ＝１・・・ｍ）に関する分散係数Ａ’＝［αｉ１，・・・ａｉｋ−１］Ｔを求める．」（１３頁左欄２１行〜右欄１５行）
　
Ｃ．「（５）　また，ユーザはデータサーバｘｌ＋１，・・・，ｘｎに関する分散情報Ｗｉｌ＋１，・・・，Ｗｉｎを（４）で生成した係数行列を利用して（ｋ，ｎ）閾値秘密分散法と同様の手順により算出する．」（１３頁右欄下から３行〜１４頁左欄１行）
　
第９．引用文献に記載の発明
１　上記Ａの「秘密分散法とはｎ個に分散したデータ内，ｋ個（ｋ≦ｎ）のデータを集めることで元の秘密情報が復元できるという技術であり，ｋ個未満のデータから一切秘密情報に関する情報は得られないという技術である」という記載，及び，上記Ｂの「提案方式は図１の様に構成されるクラウドシステムに適した秘密分散法である」という記載から，引用文献には，
“ｎ個に分散したデータ内，ｋ個（ｋ≦ｎ）のデータを集めることで元の秘密情報が復元でき，ｋ個未満のデータから一切秘密情報に関する情報は得られないクラウドシステム”が記載されていることが読み取れる。
　
２　上記Ｂの「ｘｊは各サーバに割り当てられるＩＤであり，ＷｊｉはサーバＩＤｘｊを利用して生成した秘密情報ｓｉの分散情報である」という記載，同じく，上記Ｂの「それぞれの秘密情報に割り振られているデータＩＤｄＩＤ［ｓ（ｉ）］」という記載，同じく，上記Ｂの「本提案方式はユーザが鍵情報のみを持つ鍵サーバに自身のユーザＩＤＩＤ［ｙ］（ｙ＝１，・・・，ｒ）を送信し，それを受け取った鍵サーバが自身の持つｋｅｙｊと受け取ったユーザＩＤを用いてＥｉｄ（ｙ，ｊ）＝Ｅｎｃ（ＩＤ［ｙ］，ｋｅｙｊ）（ｊ＝１・・・ｌ）を生成してユーザに送信する．ここでＥｎｃ（ａ，ｂ）はａをｂという鍵を用いて暗号化する処理を表すとする」という記載，同じく，上記Ｂの「ユーザがこれを用いて自身のデータＩＤｄＩＤ［ｓ（ｉ）］を暗号化し暗号化結果ｑｉｊ  ＝  Ｅｎｃ（ｄＩＤ［ｓ（ｉ）］，Ｅｉｄ（ｙ，ｊ））をｍ個の秘密情報全てについて生成」という記載，同じく，上記Ｂの「これらが鍵サーバの分散情報に対応するようにＷ１ｊ＝ｑ１ｊ，Ｗ２ｊ＝ｑ２ｊ，・・・，Ｗｍｊ＝ｑｍｊとしてそれぞれの秘密情報ｓｉ（ｉ＝１・・・ｍ）に関する分散係数Ａ’＝［αｉ１，・・・ａｉｋ−１］Ｔを求める」という記載，及び，上記Ｃの「ユーザはデータサーバｘｌ＋１，・・・，ｘｎに関する分散情報Ｗｉｌ＋１，・・・，Ｗｉｎを（４）で生成した係数行列を利用して（ｋ，ｎ）閾値秘密分散法と同様の手順により算出する」という記載から，引用文献には，
“ユーザが鍵情報のみを持つ鍵サーバに自身のユーザＩＤを送信し，鍵サーバは，受信したユーザＩＤを，鍵サーバの有する鍵で暗号化し，得られた値を前記ユーザに送信し，前記ユーザは，鍵サーバから送信された値を用いて，自身の有するｍ個の秘密情報それぞれに割り振られているデータＩＤを暗号化し，得られた値を用いて，分散情報の分散係数を生成し，前記分散係数の係数行列を用いて，分散情報を計算するクラウドシステム”が記載されていることが読み取れる。
　
３　以上，上記１及び上記２において検討した事項から，引用文献には，次の発明（以下，これを「引用発明」という）が記載されていることが読み取れる。
　
“ｎ個に分散したデータ内，ｋ個（ｋ≦ｎ）のデータを集めることで元の秘密情報が復元でき，ｋ個未満のデータから一切秘密情報に関する情報は得られないクラウドシステムであって，
　ユーザが鍵情報のみを持つ鍵サーバに自身のユーザＩＤを送信し，鍵サーバは，受信したユーザＩＤを，鍵サーバの有する鍵で暗号化し，得られた値を前記ユーザに送信し，前記ユーザは，鍵サーバから送信された値を用いて，自身の有するｍ個の秘密情報それぞれに割り振られているデータＩＤを暗号化し，得られた値を用いて，分散情報の分散係数を生成し，前記分散係数の係数行列を用いて，分散情報を計算する，クラウドシステム。”
　
第１０．本願発明と引用発明との対比及び当審の判断
１　引用発明における「分散情報」，「秘密情報」が，本願発明における「分散値」，「秘密情報」に相当し，
　引用発明における「ｎ個に分散したデータ内」から，引用発明においても，「秘密情報」を「ｎ個」に分割していることは明らかであって，
　引用発明における「クラウドシステム」が，本願発明における「システム」に相当するので，
　引用発明における「ｎ個に分散したデータ内，ｋ個（ｋ≦ｎ）のデータを集めることで元の秘密情報が復元でき，ｋ個未満のデータから一切秘密情報に関する情報は得られないクラウドシステム」が，
　本願発明における「秘密情報をｎ個に分散し，そのうちｋ個の分散値を集めれば秘密情報を復元でき，ｋ−１個以下では秘密情報を復元できないシステム」に相当する。
　
２　引用発明において，「自身の有するｍ個の秘密情報それぞれに割り振られているデータＩＤ」は，当該「データＩＤ」を記憶するための手段が存在することは明らかである。
　そして，引用発明における「自身の有するｍ個の秘密情報それぞれに割り振られているデータＩＤ」が，
　本願発明における「秘密情報を特定するための情報」に相当するので，
　引用発明における“自身の有するｍ個の秘密情報それぞれに割り振られているデータＩＤを記憶する手段”が，
　本願発明における「秘密情報を特定する情報を記憶する記憶手段」に相当する。
　
３　引用発明においては，「鍵サーバは，受信したユーザＩＤを，鍵サーバの有する鍵で暗号化し」，「得られた値」で，「データＩＤを暗号化」しているので，
　引用発明における“鍵サーバにおいて得られる値”が，
　本願発明における「設定手段により設定された鍵情報」に相当し，
　そして，引用発明において，当該「暗号化」をするための「手段」が存在することは明らかであるから，
　引用発明において，「鍵サーバから送信された値を用いて，自身の有するｍ個の秘密情報それぞれに割り振られているデータＩＤを暗号化」する「手段」が，
　本願発明における「設定手段により設定された鍵情報を用いて，前記記憶手段に記憶された前記秘密情報を特定する情報を暗号化する暗号化手段」に相当する。
　
４　引用発明において，「ユーザ」が，「鍵サーバから送信された値を用いて，自身の有するｍ個の秘密情報それぞれに割り振られているデータＩＤを暗号化」することは，「分散情報」を計算するために行っていることであるから，上記３において検討した事項と併せると，
　引用発明における「得られた値を前記ユーザに送信し，前記ユーザは，鍵サーバから送信された値を用いて，自身の有するｍ個の秘密情報それぞれに割り振られているデータＩＤを暗号化」する「手段」は，
　本願発明における「分散値を得るために設定手段により設定された鍵情報を用いて，前記記憶手段に記憶された前記秘密情報を特定する情報を暗号化する暗号化手段」に相当する。
　
５　引用発明において，「自身の有するｍ個の秘密情報それぞれに割り振られているデータＩＤ」は，「ユーザ」側に保持され，「データＩＤを暗号化」することは，「ユーザ」側で行われているので，「データＩＤ」を“記憶する手段”と，「データＩＤを暗号化する」手段が，「ユーザ」の装置に存在することは，明らかである。
　よって，上記３及び４において検討した事項を踏まえると，
　当該５の上記において検討した，引用発明における「ユーザ」の装置が，
　本願発明における「処理装置」に相当する。
　
６　以上，上記１〜上記５において検討した事項から，本願発明と，引用発明とは，
　
「秘密情報をｎ個に分散し，そのうちｋ個の分散値を集めれば秘密情報を復元でき，ｋ−１個以下では秘密情報を復元できないシステムにおいて，
　秘密情報を特定する情報を記憶する記憶手段と，
　分散値を得るために設定手段により設定された鍵情報を用いて，前記記憶手段に記憶された前記秘密情報を特定する情報を暗号化する暗号化手段と，
　を備えることを特徴とした処理装置。」
　
　である点で一致する。
　よって，本願発明は，引用文献に記載された発明である。
　そして,本願発明が，引用文献に記載された発明である以上，引用文献に記載の発明から，本願発明を構築することは，当業者であれば容易になし得る事項である。
　
第１１．むすび
　したがって，本願発明は，引用文献に記載された発明であるから，特許法２９条１項３号の規定により，特許を受けることができない。
　加えて，本願発明は，引用文献に記載された発明に基づいて，当業者が容易に発明をすることができたものであるので，特許法第２９条第２項の規定により特許を受けることができない。
　
　よって，結論のとおり審決する。